(57)【特許請求の範囲】
【請求項１】
原稿を露光走査する走査光学系と、
この露光走査による前記原稿の反射光を受光して前記原稿の画像信号を取得する光電変換素子と、
前記画像信号に対して各種信号処理を施す信号処理回路と、
発振器と、
この発振器の出力から前記光電変換素子および前記信号処理回路の動作のタイミングをとるタイミング信号を生成するタイミング生成回路と、
前記発振器の出力を周波数拡散する周波数拡散器と、
前記周波数拡散の周波数拡散率を切り替える拡散率切替回路と
を備えている画像読取装置。
【請求項２】
前記拡散率切替回路を制御して前記画像信号の読取動作のタイミングをとるタイミング信号と独立のランダムなタイミングで前記切り替えを行う切替制御手段を備えている請求項１に記載の画像読取装置。
【請求項３】
前記信号処理回路は、前記タイミング生成回路から前記タイミング信号を受けて動作し前記画像信号をＡ／Ｄ変換するＡ／Ｄ変換回路を含んでいて、
前記Ａ／Ｄ変換回路に入力する前記タイミング信号の位相を制御する位相制御回路を備えている請求項２に記載の画像読取装置。
【請求項４】
前記周波数拡散器を複数備えていて、この各周波数拡散器はＰＬＬ回路による帰還制御によって周波数拡散率を決定するものであり、
前記拡散率切替回路は、前記複数の拡散率切替回路の出力のうちのひとつを選択的に出力させることで前記切り替えを行う請求項３に記載の画像読取装置。
【請求項５】
請求項１〜４のいずれかの一に記載の画像読取装置と、
この画像読取装置で読み取った画像信号に基づいた画像の形成を用紙上に行う画像形成装置と、を備えている複写機。
【発明の詳細な説明】
【０００１】
【発明の属する技術分野】
この発明は、画像読取装置および画像読取装置を搭載した複写機に関する。
【０００２】
【従来の技術】
高画質化の要求に伴い、デジタル複写機等においては高画素密度化の傾向にある。また、コピースピードも年々高速化されてきている。イメージスキャナにおいても、高画素密度化、読み取りスピードの高速化が要求されている。
【０００３】
【発明が解決しようとする課題】
しかしながら、画素密度が高くなるほど、また、読み取りスピードが速くなるほど、画像を読み取るＣＣＤなどの光電変換素子や、その後段で光電変換素子が出力する画像信号に各種信号処理を施す信号処理回路を駆動するときのクロック周波数は高くなってくるが、それに伴い電磁波の不要輻射が多くなるという不具合がある。
【０００４】
この発明の目的は、画像読取装置および画像読取装置を搭載した複写機において、電磁波の不要輻射を低減することができるようにすることである。
【０００５】
この発明の別の目的は、読取画像にスジを生じることがないようにすることである。
【０００６】
この発明の別の目的は、電磁波の不要輻射を招く画像信号の電界強度のピークができるだけ落とせて、なおかつ読取画像のスジ画像の発生を防ぐことができるようにすることである。
【０００７】
この発明の別の目的は、周波数拡散器の周波数拡散率決定までの時間を埋めることができるようにすることである。
【０００８】
【課題を解決するための手段】
請求項１に記載の発明は、原稿を露光走査する走査光学系と、この露光走査による前記原稿の反射光を受光して前記原稿の画像信号を取得する光電変換素子と、前記画像信号に対して各種信号処理を施す信号処理回路と、発振器と、この発振器の出力から前記光電変換素子および前記信号処理回路の動作のタイミングをとるタイミング信号を生成するタイミング生成回路と、前記発振器の出力を周波数拡散する周波数拡散器と、前記周波数拡散の周波数拡散率を切り替える拡散率切替回路とを備えている画像読取装置である。
【０００９】
したがって、タイミング信号を生成するための発振器の出力を周波数拡散することにより、特定の周波数で発生するクロックパルスに起因する出力が周囲の周波数帯域に拡散されてピーク部分の強度が低減し、電磁波の不要輻射を抑制することができる。
【００１１】
したがって、周波数拡散により画像信号に信号レベルの周期的な高低差が生じても、この高低差の周期性を周波数拡散率の切り替えにより崩すことが可能となるので、読取画像にスジを生じることがない。
【００１２】
請求項２に記載の発明は、請求項１に記載の画像読取装置において、前記拡散率切替回路を制御して前記画像信号の読取動作のタイミングをとるタイミング信号と独立のランダムなタイミングで前記切り替えを行う切替制御手段を備えている。
【００１３】
したがって、周波数拡散により画像信号に信号レベルの周期的な高低差が生じても、この高低差の周期性を画像信号の読取動作のタイミング信号と独立のランダムなタイミングで周波数拡散率を切り替えることにより崩すことが可能となるので、読取画像にスジを生じることがない。
【００１４】
請求項３に記載の発明は、請求項２に記載の画像読取装置において、前記信号処理回路は、前記タイミング生成回路から前記タイミング信号を受けて動作し前記画像信号をＡ／Ｄ変換するＡ／Ｄ変換回路を含んでいて、前記Ａ／Ｄ変換回路に入力する前記タイミング信号の位相を制御する位相制御回路を備えている。
【００１５】
したがって、Ａ／Ｄ変換回路に入力するタイミング信号の位相を制御することで、画像信号の周期的な信号レベル変動が発生しない適当なＡ／Ｄ変換回路の入力クロックタイミングをセレクトすることができるので、読取画像に現れるスジを消すことができる。
【００１７】
したがって、最初はできるだけ周波数拡散率の高いところで設定し、Ａ／Ｄ変換回路のタイミング信号の位相を制御して信号レベル変動のないタイミングを探索し、これで適正なタイミングが得られない場合には、周波数拡散率をやや下げてから、Ａ／Ｄ変換回路のタイミング信号の位相を制御して適正なタイミングを探していくような処理が可能となるので、電磁波の不要輻射を招く画像信号の電界強度のピークができるだけ落とせて、なおかつ読取画像のスジ画像の発生を防ぐことができる。
【００１８】
請求項４に記載の発明は、請求項３に記載の画像読取装置において、前記拡散率切替回路を複数備えていて、前記拡散率切替回路は、前記複数の拡散率切替回路の出力のうちのひとつを選択的に出力させることで前記切り替えを行う。
【００１９】
したがって、周波数拡散器がＰＬＬ（Phase Locked Loop）回路による帰還制御によって周波数拡散率を決定している場合であっても、周波数拡散率の切り替えの際に使用する周波数拡散器も切り替えることで、ＰＬＬ回路の応答時間によって生じる周波数拡散率決定までの時間を埋めることができる。
【００２０】
請求項５に記載の発明は、請求項１〜４のいずれかの一に記載の画像読取装置と、この画像読取装置で読み取った画像信号に基づいた画像の形成を用紙上に行う画像形成装置と、を備えている複写機である。
【００２１】
したがって、請求項１〜４のいずれかの一に記載の発明と同様の作用、効果を奏する。
【００２２】
【発明の実施の形態】
［発明の実施の形態１］
この発明の一実施の形態を発明の実施の形態１として説明する。
【００２３】
図１は、発明の実施の形態１であるフラットベット型のイメージスキャナ１の縦断断面図である。イメージスキャナ１は、この発明の画像読取装置を適用したものである。
【００２４】
図１に示すように、イメージスキャナ１は、原稿２を載置するコンタクトガラス３と、原稿２の露光用のハロゲンランプ４および第１反射ミラー５とからなる第１キャリッジ６と、第２反射ミラー７および第３反射ミラー８からなる第２キャリッジ９と、光電変換素子であるＣＣＤリニアイメージセンサ１０（以下では、単にＣＣＤ１０という）と、ＣＣＤ１０に結像するためのレンズユニット１１と、シェーディング補正用の白基準板１２とを備えている。ＣＣＤ１０はセンサボード基板１３上に設けられ、このセンサボード基板１３は、ＣＣＤ１０が出力する画像信号に対して各種の信号処理を施す信号処理回路が形成された信号処理基板１４と接続ケーブル１５で接続されている。ハロゲンランプ４、第１、第２、第３反射ミラー５，７，８およびレンズユニット１１は走査光学系を構成する。
【００２５】
ハロゲンランプ４は、白基準板１２やコンタクトガラス３の読取面に対してある角度で光を照射し、白基準板１２または原稿２で反射した光は、第１、第２、第３反射ミラー５，７，８およびレンズユニット１１を経由してＣＣＤ１０に入射する。ＣＣＤ１０は入射光量に対応した電圧をアナログ画像信号として出力する。第１、第２キャリッジ６，９は、図示しないステッピングモータの駆動により、原稿２の読取面とＣＣＤ１０との間の距離を一定に保ちながら副走査方向（矢印Ａ方向）に移動し、原稿２を露光走査する。
【００２６】
図２に、信号処理基板１４に形成された前記の信号処理回路のブロック図を示す。図２に示すように、ＣＣＤ１０から奇数および偶数画素のアナログ画像信号Ｖｅ，Ｖｏが出力され、アナログ信号処理回路３０に出力される。アナログ信号処理回路３０は、サンプルホールド回路２２、黒レベル補正回路２３、増幅回路２４、マルチプレクス回路２５および増幅回路２６からなる。アナログ画像信号Ｖｅ，Ｖｏは、それぞれサンプルホールド回路２２でサンプルパルスによりサンプリングされて保持されることで連続的なアナログ画像信号にされて後、黒レベル補正回路２３においてＣＣＤ１０の暗出力のレベルのバラツキを補正され、増幅回路２４において各色信号の奇数、偶数画素の出力を一定レベルに合わせた後、マルチプレクス回路２５において奇数、偶数画素の出力をマルチプレクスされて画像信号Ｖとなる。画像信号Ｖは増幅回路２６で所定程度に増幅され、Ａ／Ｄ変換回路２７によって８ビットのデジタル画像信号に変換される。こうして得られたデジタル画像信号は、シェーディング補正回路２８において、ハロゲンランプ４で照射された白基準板１２の反射光をＣＣＤ１０で読み取ることにより所定の濃度のレベルを得て、ＣＣＤ１０の感度バラツキや照射系の配光ムラが補正されて、所定のインターフェイス２９に出力される。ＣＣＤ１０やその他の回路の駆動に必要なタイミング信号はタイミング発生回路２１で生成され、各回路に出力される。イメージスキャナ１の各部を集中的に制御するマイコン３５は、タイミング発生回路２１、アナログ信号処理回路３０、Ａ／Ｄ変換回路２７、シェーディング補正回路２８などの動作を制御する。
【００２７】
図３に、タイミング発生回路２１のブロック図を示す。図３に示すように、発振器３１で生成するシステムクロックパルスは、周波数拡散器３２において低周波で変調されて周波数拡散がなされ、タイミング生成回路３３において分周等がなされて、ＣＣＤ１０、アナログ信号処理回路３０、Ａ／Ｄ変換回路２７に必要なタイミングクロックパルスにされる。周波数拡散器３２において低周波で変調されることによって、特定の周波数で発生するクロックパルスに起因する出力（図４参照）が周囲に拡散（スペクトラム拡散）されて、ピーク部分の強度が低減される（図５参照）。これにより、電磁波の不要輻射を抑制することができる。
【００２８】
また、周波数拡散率は拡散率切替回路３４において決定される。すなわち、拡散率切替回路３４から周波数拡散器３２には２つの信号Ｑ１，Ｑ２が出力される。この各信号Ｑ１，Ｑ２の入力（１）、未入力（０）の組み合わせによって、図６に例示するように、周波数拡散率を様々に決定することができる。拡散率切替回路３４は、例えば、図７に示すフリップフロップ３６〜３９およびＯＲ回路４０で構成される回路により、信号Ｑ１，Ｑ２を出力すれば、ランダムに周波数拡散率を切り替えることが可能になる。図８は周波数拡散率切り替えのタイミングチャート例である。図８においては、原稿２の画像を読み取る際の主走査方向の同期をとる主走査同期信号と、画素クロック信号と、信号Ｑ１，Ｑ２とのタイミングの例が示されている。
【００２９】
もし、このような周波数拡散率の切り替えを行わず、一定の拡散率で周波数拡散を行うと、ＣＣＤ１０の出力とサンプルパルスのタイミングずれや、Ａ／Ｄ変換回路２７のクロックパルスとアナログ画像信号とのサンプリングポイントのズレなどが原因で、得られるデジタル画像信号のレベルが１ラインのうちに周期的に変動し信号レベルの高低が発生する。これを何ラインも繰り返していると、結果として信号レベルの高低がスジとして読取画像に細かく表れ、人間の目にはモアレ状になって見えてくる（図９参照）。
【００３０】
これに対し、このイメージスキャナ１では、マイコン３５の制御により拡散率切替回路３４を制御して、主走査同期信号（図８参照）などのイメージスキャナ１による画像信号の読取動作のタイミングをとるタイミング信号とは独立のランダムなタイミングで周波数拡散率を切り替えることにより、切替制御手段を実現している。これによって、画像信号の信号レベル変動の周期および信号レベル差が適度に切り替わり、レベルの高低が副走査方向に規則的に表れないので、読取画像に規則的な間隔のスジが表れなくなる（図１０参照）。
【００３１】
より具体的に説明すると、拡散率切替回路３４により周波数拡散率が±2.4％であると、図１１に示すように、Ａ／Ｄ変換回路２７のクロックパルスのサンプリングタイミングの変動によって大きな画像信号に信号レベル差が発生してしまう。そして、得られるデジタル画像信号の信号レベルが１ラインのうちに周期的に変動して信号レベルの高低が発生する。これを何ラインも繰り返していると結果としてレベルの高低がスジとして読取画像に細かく表れ、人間の目にはモアレ状になって見えてくる（図１２参照）。しかし、周波数拡散率を±1.2％にすることによって、サンプリングタイミングの信号レベル変動を少なくすることが可能となる（図１３参照）。
【００３２】
なお、周波数拡散率は一定で、ランダムなタイミングで周波数拡散器３２によって周波数拡散を解除（周波数拡散率を０％）することによっても、原稿２の読取画像のスジ成分を消すことが可能となる（図１４参照）。
【００３３】
［発明の実施の形態２］
別の発明の実施の形態を発明の実施の形態２として説明する。
【００３４】
なお、以下の説明で発明の実施の形態１と共通の部材、回路要素などについては、発明の実施の形態１と共通の符号を用い、詳細な説明を省略する。図１５は、ＣＣＤ１０が出力する画像信号に対して各種の信号処理を施す信号処理基板１４に形成された信号処理回路の回路構成を示すブロック図である。この発明の実施の形態２が発明の実施の形態１と相違するのは、図１５に示すように、位相制御回路４３を設けている点にある。この位相制御回路４３は、タイミング発生回路２１からＡ／Ｄ変換回路２７に入力されるクロックパルスの位相を、マイコン３５により制御するものである。これにより、周波数拡散器３２の周波数拡散率が一定であったとしても、画像信号の周期的な信号レベル変動が発生しない適当なＡ／Ｄ変換回路２７の入力クロックタイミングをセレクトすることができるので、画像信号の大きな信号レベル差が発生しないタイミングがあれば読取画像に現れるスジを消すことができる（図１６参照）。
【００３５】
また、ＥＭＩ等の対策としては、周波数拡散率の高い方が画像信号の電界強度（図４の縦軸）のピーク値を下げることができるので、最初はできるだけ周波数拡散率の高いところで設定し、Ａ／Ｄ変換回路２７の位相を制御して、画像信号のレベル変動のないタイミングを探索する。これで適正なタイミングが得られない場合には、周波数拡散率をやや下げてから、Ａ／Ｄ変換回路２７の位相を制御して適正なタイミングを探していく。このような処理を続けていくことによって、できるだけ画像信号の電界強度のピークを落とせて、なおかつ、スジ画像の発生を防ぐことが可能となる。
【００３６】
［発明の実施の形態３］
別の発明の実施の形態を発明の実施の形態３として説明する。
【００３７】
なお、以下の説明で発明の実施の形態１と共通の部材、回路要素などについては、発明の実施の形態１と共通の符号を用い、詳細な説明を省略する。図１７は、タイミング発生回路２１の回路構成を示すブロック図である。この発明の実施の形態３が発明の実施の形態１と相違するのは、図３に示すタイミング発生回路２１に代えて図１７に示すタイミング発生回路２１を用いている点である。
【００３８】
すなわち、図１７に示すように、このタイミング発生回路２１は、周波数拡散器３２が単一ではなく、複数、この例では周波数拡散器３２ａ，３２ｂの２つを備えていて、この周波数拡散器３２ａ，３２ｂは何れもＰＬＬ回路による帰還制御によって周波数拡散率を決定する周知の構成のものであり、また、この複数の周波数拡散器３２ａ，３２ｂが出力する何れかのクロック信号を選択的にタイミング生成回路３３に出力するスイッチ５１を備えており、拡散率切替回路３４は、周波数拡散器３２ａ，３２ｂの周波数拡散率を決定するのみならず、スイッチ５１の切替も行う。これにより、発振器３１より発生するクロック信号を周波数拡散器３２ａ，３２ｂにおいて低周波で変調し、タイミング発生回路２１において分周等を行って、ＣＣＤリニアイメージセンサ１０、Ａ／Ｄ変換回路２７、シェーディング補正回路２８に必要なクロック信号を生成している。
【００３９】
周波数拡散率は拡散率切替回路３４において決定される。例えば、いま周波数拡散器３２ａ，３２ｂについて、図１８に示すように、信号Ｑａ，Ｑｂの値（図１８に示すＱであり、一方が０なら他方は１の値をとる。なお、図１８中で、ＳＳＧ−ａとあるのは周波数拡散器３２ａであり、ＳＳＧ−ｂとあるのは周波数拡散器３２ｂである。）によって拡散率を決定する場合、拡散率切替回路３４を、図１９に示すような、図７に記載の回路の出力側に、Ｔフリップフロップ５２，５３、および、インバータ５９を接続した回路構成にして、入力信号Ｑａ，Ｑｂの信号と、スイッチ５１の切替信号ＳＷを出力するようにすれば、ランダムに周波数拡散率を切り替えることが可能になり、また、タイミング発生回路２１に入力されるクロック信号が選択される。
【００４０】
ところで、周波数拡散器３２ａ，３２ｂのような周波数拡散器は、一般的にＰＬＬ回路による帰還制御によって周波数（拡散率）を決定しているために、拡散率を切り替えて次の拡散率が決定するまでに多少の時間（数百μｓ程度）を要するが、これでは画像の読取線速の速い装置（ＣＣＤリニアイメージセンサ１０の蓄積時間の短い装置）では所望の切り替えタイミングに応答しきれない。
【００４１】
そこで、この発明の実施の形態３では、複数の周波数拡散器３２ａ，３２ｂを用い、周波数拡散率を切り替える際には、拡散率切替回路３４により使用する周波数拡散器ごと切り替えるので（周波数拡散器３２ａまたは３２ｂを選択する）、スイッチ５１の動作によって有効となる周波数拡散器３２ａ，３２ｂは必ず一つ前の状態（入力信号Ｑａ，Ｑｂによって決定される拡散率）を維持し、ＰＬＬ回路の応答時間によって生じる周波数拡散率決定までの時間（拡散率が不明な期間）を埋めることができる。図２０は、このような周波数拡散率切り替えのタイミングチャート例である（なお、図２０中で、ＳＳＧ−ａとあるのは周波数拡散器３２ａであり、ＳＳＧ−ｂとあるのは周波数拡散器３２ｂである）。
【００４２】
［発明の実施の形態４］
別の発明の実施の形態を発明の実施の形態４として説明する。
【００４３】
図２１は、この発明の実施の形態４である複写機４１の概略構成を示すブロック図である。この複写機４１は、発明の実施の形態１〜３の何れかの一に記載のイメージスキャナ１と、このイメージスキャナ１で読み取った画像信号に基づいて用紙上に画像の形成を行う画像形成装置であるプリンタ４２とを備えている。プリンタ４２は、電子写真方式のほか、インクジェット方式、昇華型熱転写方式、銀塩写真方式、直接感熱記録方式、溶融型熱転写方式など、種々の印刷方式を適用することができる。その具体的な構成については周知であるため、詳細な説明は省略する。
【００４４】
この複写機４１によれば、発明の実施の形態１〜３の何れかの一に記載のイメージスキャナ１と同様の作用、効果を奏することができる。
【００４５】
【発明の効果】
請求項１に記載の発明は、タイミング信号を生成するための発振器の出力を周波数拡散することにより、特定の周波数で発生するクロックパルスに起因する出力が周囲の周波数帯域に拡散されてピーク部分の強度が低減し、電磁波の不要輻射を抑制することができる。
【００４６】
また、請求項１に記載の発明は、周波数拡散により画像信号に信号レベルの周期的な高低差が生じても、この高低差の周期性を周波数拡散率の切り替えにより崩すことが可能となるので、読取画像にスジを生じることがない。
【００４７】
請求項２に記載の発明は、請求項１に記載の画像読取装置において、周波数拡散により画像信号に信号レベルの周期的な高低差が生じても、この高低差の周期性を画像信号の読取動作のタイミング信号と独立のランダムなタイミングで周波数拡散率を切り替えることにより崩すことが可能となるので、読取画像にスジを生じることがない。
【００４８】
請求項３に記載の発明は、請求項２に記載の画像読取装置において、Ａ／Ｄ変換回路に入力するタイミング信号の位相を制御することで、画像信号の周期的な信号レベル変動が発生しない適当なＡ／Ｄ変換回路の入力クロックタイミングをセレクトすることができるので、読取画像に現れるスジを消すことができる。
【００４９】
請求項３に記載の発明は、請求項２に記載の画像読取装置において、最初はできるだけ周波数拡散率の高いところで設定し、Ａ／Ｄ変換回路のタイミング信号の位相を制御して信号レベル変動のないタイミングを探索し、これで適正なタイミングが得られない場合には、周波数拡散率をやや下げてから、Ａ／Ｄ変換回路のタイミング信号の位相を制御して適正なタイミングを探していくような処理が可能となるので、電磁波の不要輻射を招く画像信号の電界強度のピークができるだけ落とせて、なおかつ読取画像のスジ画像の発生を防ぐことができる。
【００５０】
請求項４に記載の発明は、請求項３に記載の画像読取装置において、周波数拡散器がＰＬＬ回路による帰還制御によって周波数拡散率を決定している場合であっても、周波数拡散率の切り替えの際に使用する周波数拡散器も切り替えることで、ＰＬＬ回路の応答時間によって生じる周波数拡散率決定までの時間を埋めることができる。
【００５１】
請求項５に記載の発明は、請求項１〜４のいずれかの一に記載の発明と同様の作用、効果を奏する。
【図面の簡単な説明】
【図１】発明の実施の形態１であるイメージスキャナの縦断断面図である。
【図２】前記イメージスキャナの信号処理基板に形成された信号処理回路のブロック図である。
【図３】前記信号処理回路を構成するタイミング発生回路のブロック図である。
【図４】画像信号の周波数と電界強度との関係を示すグラフである。
【図５】前記タイミング発生回路を構成する周波数拡散器により前記画像信号を周波数拡散したときの周波数と電界強度との関係を示すグラフである。
【図６】前記タイミング発生回路を構成する拡散率切替回路による前記画像信号の周波数拡散率の切替を説明する説明図である。
【図７】前記拡散率切替回路の回路構成例を示すブロック図である。
【図８】前記周波数拡散率の切替を説明するタイミングチャートである。
【図９】各ラインの画像信号の信号レベルを示すグラフである。
【図１０】各ラインの画像信号の信号レベルを示すグラフである。
【図１１】前記信号処理回路を構成するＡ／Ｄ変換回路のクロックパルスと画像信号とのタイミングチャートである。
【図１２】画像に生じるモアレの平面図である。
【図１３】前記信号処理回路を構成するＡ／Ｄ変換回路のクロックパルスと画像信号とのタイミングチャートである。
【図１４】各ラインの画像信号の信号レベルを示すグラフである。
【図１５】発明の実施の形態２であるイメージスキャナの信号処理基板に形成された信号処理回路のブロック図である。
【図１６】前記信号処理回路を構成するＡ／Ｄ変換回路のクロックパルスと画像信号とのタイミングチャートである。
【図１７】この発明の実施の形態３であるイメージスキャナのタイミング発生回路の回路構成を示すブロック図である。
【図１８】前記タイミング発生回路を構成する拡散率切替回路による前記画像信号の周波数拡散率の切替を説明する説明図である。
【図１９】前記タイミング発生回路を構成する拡散率切替回路の回路構成例を示すブロック図である。
【図２０】前記拡散率切替回路による周波数拡散率切り替えのタイミングチャートである。
【図２１】発明の実施の形態４である複写機の概略構成を示すブロック図である。
【符号の説明】
１      画像読取装置
２      原稿
４      走査光学系
５      走査光学系
７      走査光学系
８      走査光学系
１０    光電変換素子
２７    Ａ／Ｄ変換回路
３１    発振器
３２    周波数拡散器
３２ａ  周波数拡散器
３２ｂ  周波数拡散器
３３    タイミング生成回路
３４    拡散率切替回路
４１    複写機
４２    画像形成装置
４３    位相制御回路
【図１】
0003808278.tif 000002
【図２】
0003808278.tif 000003
【図３】
0003808278.tif 000004
【図４】
0003808278.tif 000005
【図５】
0003808278.tif 000006
【図６】
0003808278.tif 000007
【図７】
0003808278.tif 000008
【図８】
0003808278.tif 000009
【図９】
0003808278.tif 000010
【図１０】
0003808278.tif 000011
【図１１】
0003808278.tif 000012
【図１２】
0003808278.tif 000013
【図１３】
0003808278.tif 000014
【図１４】
0003808278.tif 000015
【図１５】
0003808278.tif 000016
【図１６】
0003808278.tif 000017
【図１７】
0003808278.tif 000018
【図１８】
0003808278.tif 000019
【図１９】
0003808278.tif 000020
【図２０】
0003808278.tif 000021
【図２１】
0003808278.tif 000022